(57)【要約】【課題】実現可能な配光を増大した照明装置を提供する。【解決手段】照明装置本体内に光源ユニットを収容し、照明装置本体に形成された照射開口から照射する照明装置１において、照射開口に対し平行に設けられるＬＥＤユニット取付板２６に、複数のＬＥＤモジュール４６を点在配置して光源ユニットを構成し、ＬＥＤモジュール４６のそれぞれの照射方向を、ＬＥＤユニット取付板２６の板面に対し水平方向及び垂直方向に回動自在に構成した。【選択図】図３
2010282742.tif 000002
【特許請求の範囲】
【請求項１】
照明装置本体内に光源を収容し、前記照明装置本体に形成された照射開口から照射する照明装置において、
前記照射開口に対し平行に設けられる載置板に、複数の発光体モジュールを点在配置して前記光源を構成し、
前記発光体モジュールのそれぞれの照射方向を、前記載置板の板面に対し水平方向及び垂直方向に回動自在に構成したことを特徴とする照明装置。
【請求項２】
前記発光体モジュールのそれぞれについて、前記載置板の板面に対する水平方向の回動角度を明示する水平角度目盛りと、前記載置板の板面に対する垂直方向の回動角度を明示する垂直角度目盛りと、を形成したことを特徴とする請求項１に記載の照明装置。
【請求項３】
複数の前記発光体モジュールのそれぞれについて、前記載置板の板面に対する垂直方向の位置を変動自在に構成したことを特徴とする請求項１又は２に記載の照明装置。
【請求項４】
複数の前記発光体モジュールのそれぞれについて、前記載置板の板面に対する垂直方向の位置を明示する垂直位置目盛りを形成したことを特徴とする請求項３に記載の照明装置。
【請求項５】
前記発光体モジュールを載置するための発光体モジュール載置部を備え、前記発光体モジュール載置部に載置された前記発光体モジュールを回動自在に構成したことを特徴とする請求項１ないし４のいずれかに記載の照明装置。
【請求項６】
前記発光体モジュールは、ＬＥＤを備えることを特徴とする請求項１ないし５のいずれかに記載の照明装置。
【発明の詳細な説明】
【技術分野】
【０００１】
本発明は、照明装置本体内に光源を収容した照明装置に関する。
【背景技術】
【０００２】
従来、照明装置本体内に光源を収容し、この光源の光を照射する照明装置が知られている。この種の照明装置では、複数のＬＥＤを配置した照明基板を照明装置本体内に複数設け、複数の照明基板の全ての回動軸が平行になるようにした上で、照明基板のそれぞれを回動可能にしたものがある（例えば、特許文献１参照）。
【先行技術文献】
【特許文献】
【０００３】
【特許文献１】特開２００７−１２２９３６号公報
【発明の概要】
【発明が解決しようとする課題】
【０００４】
しかしながら、特許文献１に記載の照明装置では、全ての照明基板について、回動軸を中心として同一方向に回動できるのみであり、当該照明装置によって実現可能な配光は限定的であった。
本発明は、上述した事情に鑑みてなされたものであり、実現可能な配光を増大した照明装置を提供することを目的とする。
【課題を解決するための手段】
【０００５】
上記目的を達成するために、本発明は、照明装置本体内に光源を収容し、前記照明装置本体に形成された照射開口から照射する照明装置において、前記照射開口に対し平行に設けられる載置板に、複数の発光体モジュールを点在配置して前記光源を構成し、前記発光体モジュールのそれぞれの照射方向を、前記載置板の板面に対し水平方向及び垂直方向に回動自在に構成したことを特徴とする。
この構成によれば、発光体モジュールのそれぞれの照射方向を水平方向及び垂直方向に回動できる。このため、照射方向を適切な方向に向けた発光体モジュールを組み合わせることにより、多くの配光を実現することができる。
【０００６】
ここで、上記発明の照明装置において、前記発光体モジュールのそれぞれについて、前記載置板の板面に対する水平方向の回動角度を明示する水平角度目盛りと、前記載置板の板面に対する垂直方向の回動角度を明示する垂直角度目盛りと、を形成したようにしてもよい。
この構成によれば、水平角度目盛り及び垂直角度目盛りを利用して、発光体モジュールの照射方向を所望の方向に、容易、かつ、確実に回動させることができる。
【０００７】
また、上記発明の照明装置において、複数の前記発光体モジュールのそれぞれについて、前記載置板の板面に対する垂直方向の位置を変動自在に構成したようにしてもよい。
この構成によれば、照明装置本体の形状や、実現すべき配光に応じて、発光体モジュールの垂直方向の位置を変動することにより、より確実に所望の配光を実現できる。
【０００８】
また、上記発明の照明装置において、複数の前記発光体モジュールのそれぞれについて、前記載置板の板面に対する垂直方向の位置を明示する垂直位置目盛りを形成したようにしてもよい。
この構成によれば、垂直位置目盛りを利用して、発光体モジュールを所望の位置に、容易、かつ、確実に移動させ、より確実に所望の配光を実現できる。
【０００９】
また、上記発明の照明装置において、前記発光体モジュールを載置するための発光体モジュール載置部を備え、前記発光体モジュール載置部に載置された前記発光体モジュールを回動自在に構成したようにしてもよい。
この構成によれば、発光体モジュールについて、鉛直断面の水平角を変えたときの配光が異なる場合において、照明装置により所望の配光を実現する上でそれぞれの発光体モジュールの配光が最適となるように発光体モジュールの水平角を調整した状態で、発光体モジュール載置部に、発光体モジュールを載置することができる。これにより、より確実に所望の配光を実現できる。
【００１０】
また、上記発明の照明装置において、前記発光体モジュールは、ＬＥＤを備えるようにしてもよい。
この構成によれば、複数のＬＥＤを用いた光源を収納する照明装置について、実現可能な配光を増大することができる。
【発明の効果】
【００１１】
本発明によれば、複数の発光モジュールを水平方向及び垂直方向に回動させることにより、照明装置によって実現可能な配光を増大できるという効果を奏する。
【図面の簡単な説明】
【００１２】
【図１】本実施形態に係る照明装置の使用の態様を示す図である。
【図２】照明装置を下から見た図である。
【図３】ＬＥＤユニットの斜視図である。
【図４】（Ａ）はＬＥＤユニット取付板に取り付けた状態のＬＥＤユニットを下から見た図であり、（Ｂ）はユニット水平回動部を示す図である。
【図５】（Ａ）（Ｂ）共に、ＬＥＤユニットの側面図である。
【図６】（Ａ）（Ｂ）共に、ＬＥＤモジュールの半値角を説明するための図である。
【図７】照明装置を４．５ｍの高さに設けたときの水平面照度分布図である。
【図８】照明装置の各ＬＥＤユニットの調整内容を示す図である。
【図９】（Ａ）は照明装置本体１１の直下を照明する照明装置を示す図であり、（Ｂ）は、水平方向において広範囲を照明する照明装置を示す図である。
【図１０】図９（Ａ）に示す照明装置の水平面照度分布図である。
【図１１】図９（Ｂ）に示す照明装置の水平面照度分布図である。
【図１２】（Ａ）は図９（Ａ）に示す照明装置の各ＬＥＤユニットの調整内容を示す図であり、（Ｂ）は図９（Ｂ）に示す照明装置の各ＬＥＤユニットの調整内容を示す図である。
【発明を実施するための形態】
【００１３】
以下、図面を参照して本発明の実施形態について説明する。
図１は、本実施形態に係る照明装置１の使用の態様を示す図である。
照明装置１は、道路脇に立設された支柱１０の上端に取り付けられ、当該道路を照明する装置である。支柱１０は、道路に沿って所定の間隔を開けて複数設けられており、これら複数の支柱１０のそれぞれに照明装置１が取り付けられる。そして、これら照明装置１のそれぞれについて、求められる機能（道路灯としての機能や防犯灯としての機能等）や道路の形状等に応じて、配光が調整される。これを踏まえ、本実施形態に係る照明装置１は、実現可能な配光を増大した上で、容易かつ確実に所望の配光を実現できる構成となっており、作業効率の向上及び作業にかかる時間の短縮を実現している。
【００１４】
図２は、本実施形態に係る照明装置１を下から見た図である。
なお、以下の説明において前後左右は、図２に示す前後左右を基準とするものとする。
この図に示すように、照明装置１は、支柱１０の上端に固定される照明装置本体１１を備えている。
照明装置本体１１の内部は、図２に示す仮想線Ｔ１を境に後方側の基端部１２、前方側の先端部１３に分割され、基端部１２には部品収納部１４が形成されると共に、先端部１３には光源収納部１５が形成されている。
【００１５】
部品収納部１４には、照明装置本体１１の後端に形成された支柱挿入部１６を介して部品収納部１４内に挿入された支柱１０の上端を固定するための支柱固定部１７が形成されている。
また、部品収納部１４には、照明装置本体１１の外部の照度を検出するための照度センサー部１８が設けられている。本実施形態に係る照明装置１では、この照度センサー部１８の検出値に基づいて、後述するＬＥＤモジュール４６の発光部の点灯、消灯が制御される。
【００１６】
光源収納部１５の底面２１には、照射開口２２が開口しており、この照射開口２２には、強化ガラス等で形成された透光カバー２３が嵌め込まれる（図１参照）。透光カバー２３と照射開口２２との間にはパッキンが間挿されており、光源収納部１５の密閉性及び水密性が確保されている。
光源収納部１５には、光源ユニット２５が配置されている。
光源ユニット２５は、ＬＥＤユニット取付板２６（載置板）と、このＬＥＤユニット取付板２６に取り付けられた複数（本実施形態では６個）のＬＥＤユニット２７とを備えている。
ＬＥＤユニット取付板２６は、照射開口２２に対し平行に設けられる平板状の部材であり、光源収納部１５の内部において、光源収納部１５の略全域に亘って延在している。ＬＥＤユニット取付板２６は、光源収納部１５の内部においてネジ止めによって照明装置本体１１に固定されている。
【００１７】
６つのＬＥＤユニット２７は、ＬＥＤユニット取付板２６に点在配置されている。具体的には、６つのＬＥＤユニット２７のうち、ＬＥＤユニットＵ１は、ＬＥＤユニット取付板２６の前端の略中央に取り付けられ、ＬＥＤユニットＵ２は、ＬＥＤユニット取付板２６の左端の前方に取り付けられ、ＬＥＤユニットＵ３は、ＬＥＤユニット取付板２６の左端の後方に取り付けられ、ＬＥＤユニットＵ４は、ＬＥＤユニット取付板２６の右端の前方に取り付けられ、ＬＥＤユニットＵ５は、ＬＥＤユニット取付板２６の右端の後方に取り付けられ、ＬＥＤユニットＵ６は、ＬＥＤユニットＵ２−Ｕ５に囲まれた場所であって、ＬＥＤユニット取付板２６の略中央に取り付けられている。
以下、１つのＬＥＤユニット２７について詳述する。
【００１８】
図３は、ＬＥＤユニット２７の斜視図である。図４（Ａ）はＬＥＤユニット取付板２６に取り付けられた状態のＬＥＤユニット２７を下から見た図、図４（Ｂ）はユニット水平回動部３０（後述）示す図（図４（Ａ）に示すＬＥＤユニット２７からユニット垂直回動部３１（後述）を取り除いた図）である。図５（Ａ）（Ｂ）は、ＬＥＤユニット２７の側面図である。
なお、以下の説明において、上下は、図５（Ａ）に示す上下を基準とする。すなわち、照明装置本体１１を支柱１０に取り付けた状態において、鉛直上方に対応する方向へ向かう方向が上方であり、鉛直下方に対応する方向へ向かう方向が下方である。
図３〜図５に示すように、ＬＥＤユニット２７は、ＬＥＤユニット取付板２６に固定されるユニット水平回動部３０と、このユニット水平回動部３０に対し回動自在に固定されるユニット垂直回動部３１とを備えている。
【００１９】
図３に示すように、ユニット水平回動部３０は、ＬＥＤユニット取付板２６に対し平行に延在し、ＬＥＤユニット取付板２６に接触した状態でネジ止めによって固定されるユニット側取付板３３を備えている。このユニット側取付板３３は、図４（Ｂ）に示すように、互いに対向する端部３４と、互いに対向する端部３５の４つの端部を有する正面視略ひし形の形状をしている。端部３４のそれぞれからは、図３に示すように、支持部３６が下方へ向かって垂直に延出しており、ユニット垂直回動部３１は、その両端が支持部３６に支持されることにより、ユニット水平回動部３０に対して固定される。支持部３６の下端には、図５に示すように、正面視Ｖ字状に切り欠いて形成された垂直目盛り指示部５５（後述）が形成されている。
また、端部３５はそれぞれ尖った形状をしており、１つの端部３５の尖端には、後述する水平目盛り指示部３７が形成されている。
【００２０】
ユニット側取付板３３の略中央には、図３及び図４（Ｂ）に示すように、ユニット側取付板３３をＬＥＤユニット取付板２６に対して固定するためのネジが貫通するネジ貫通孔３８が形成されている。図示は省略するが、ＬＥＤユニット取付板２６においてＬＥＤユニット２７が取り付けられる場所には、ネジが下方へ向かって垂直に延出している。そして、ＬＥＤユニット２７をＬＥＤユニット取付板２６に取り付ける場合、ユニット側取付板３３のネジ貫通孔３８にこのネジを貫通させた後、ナットを螺合させ、このナットとＬＥＤユニット取付板２６とよってユニット側取付板３３を挟持することにより、ユニット側取付板３３をＬＥＤユニット取付板２６に対して固定する。
【００２１】
このように、本実施形態では、ネジ及びナットによってＬＥＤユニット取付板２６に対してユニット側取付板３３が固定される。このため、作業者は、ナットをゆるめ、ユニット側取付板３３をネジ貫通孔３８を中心に水平方向（図４（Ｂ）の矢印Ｙ１に示す方向）に所望の角度だけ回動した後、再びナットを締めるという、容易な作業を行うだけで、ネジ貫通孔３８を中心に水平方向に所望の角度だけユニット側取付板３３を回動した上で、このユニット側取付板３３をＬＥＤユニット取付板２６に対して固定することができる。
なお、水平方向に回動するとは、図４（Ｂ）の矢印Ｙ１に示すように、ＬＥＤユニット取付板２６の板面に対して平行な面上を回動する、ということである。
【００２２】
図４に示すように、ＬＥＤユニット取付板２６において、ＬＥＤユニット２７が取り付けられる場所には、水平角度目盛り４０が形成されている。なお、図２では、この水平角度目盛り４０の図示は省略してある。
この水平角度目盛り４０は、ＬＥＤユニット２７が水平方向にどれだけ回動した状態でＬＥＤユニット取付板２６に固定されているかを明示するための目盛りである。図４（Ｂ）に示すように、水平角度目盛り４０は、上述したネジが設けられた位置に対応する中心点Ｃ１を中心とする分度器型の目盛りであり、ＬＥＤユニット取付板２６に、直接、記されている。なお、本実施形態では、ＬＥＤユニット取付板２６におけるＬＥＤユニット２７が取り付けられる側の面は白色であり、この白色のＬＥＤユニット取付板２６に黒色で水平角度目盛り４０が記されており、夜間に照明装置１のメンテナンスを行う場合等、外部の環境が暗い場合であっても、作業者は水平角度目盛り４０を容易に視認できる。
【００２３】
水平角度目盛り４０には、所定の角度毎に回動角度を示す目盛りが形成されている。本実施形態では、図４（Ｂ）を参照し、中心点Ｃ１を端点として水平面上を前方に向かって延びる半直線Ｋ１に対応する目盛りに角度「０°」が割り振られ、中心点Ｃ１を端点として水平面上を左方に向かって延びる半直線Ｋ２に対応する目盛りに角度「９０°」が割り振られ、中心点Ｃ１を端点として水平面上を右方に向かって延びる半直線Ｋ３に対応する目盛りに角度「−９０°」が割り振られている。
【００２４】
上述したように、ＬＥＤユニット２７のユニット側取付板３３は、ネジが設けられた位置、すなわち、中心点Ｃ１を中心に水平方向に回動する。従って、ユニット側取付板３３を水平方向に回動させた場合、回動に応じて上述した水平目盛り指示部３７が指し示す水平角度目盛り４０の目盛りが変動する。そして、本実施形態では、水平目盛り指示部３７が水平角度目盛り４０の「０°」に対応する目盛りを指し示している場合（図４（Ｂ）に示す状態）、ＬＥＤユニット２７が水平方向に「０°」だけ回動した状態でＬＥＤユニット取付板２６に固定されているものと定義される。同様に、水平目盛り指示部３７が「９０°」に対応する目盛りを指し示している場合、ＬＥＤユニット２７が「９０°」だけ回動した状態で固定されているものと定義され、水平目盛り指示部３７が「−９０°」に対応する目盛りを指し示している場合、ＬＥＤユニット２７が「−９０°」だけ回動した状態で固定されているもの定義される。
【００２５】
このような定義の下、作業者は、水平目盛り指示部３７が、水平角度目盛り４０のどの角度に対応する目盛りを指し示しているかを参照することにより、ＬＥＤユニット２７の水平方向における回動角度を容易、かつ、確実に認識することができる。さらに、作業者は、ＬＥＤユニット２７の水平方向の回動角度を所望の回動角度に調整する場合、当該所望の角度に対応する水平角度目盛り４０の目盛りを水平目盛り指示部３７が指し示すように、ユニット側取付板３３を回動させて、ＬＥＤユニット２７を回動させることにより、容易、かつ、確実に、ＬＥＤユニット２７の水平方向の回動角度を所望の回動角度に調整できる。
【００２６】
ユニット水平回動部３０には、ユニット垂直回動部３１が回動自在に固定される。
ユニット垂直回動部３１は、図３に示すように、平板状の平面部４１を備えている。この平面部４１の表面４２の中央には、凹んで形成された正面視略正方形のＬＥＤ載置部４４（発光体モジュール載置部）が形成されており、このＬＥＤ載置部４４には、ＬＥＤ部１９が載置、固定される。
【００２７】
ＬＥＤ部１９は、マウント基板４５と、このマウント基板４５にマウントされたＬＥＤモジュール４６（発光体モジュール）と、を備えている。
マウント基板４５は、高熱伝導性材から形成され、ＬＥＤモジュール４６が発する熱を平面部４１に効率よく伝導する。
ＬＥＤモジュール４６は、発光ダイオード素子が樹脂材等にモールドされてなる発光部（不図示）と、この発光部を封止するエポキシ系樹脂等から形成された封止体４７とを有している。このＬＥＤモジュール４６には、図示せぬ電力供給線を介して駆動電力が供給される。
【００２８】
図６は、本実施形態に係るＬＥＤモジュール４６の鉛直断面における配光を説明するための図である。図６（Ａ）は、図９（Ａ）のユニットＵ６（このユニットＵ６は、図５（Ａ）に示す状態、すなわち、水平方向に「０°」、垂直方向（後述）に「０°」回動した状態でＬＥＤユニット取付板２６に取り付けられている）を前後方向に延びる鉛直断面（図９（Ａ）のＡ−Ａ断面）で切ったときの配光を示す図であり、図６（Ｂ）は、図９（Ａ）のユニットＵ６を左右方向に延びる鉛直断面（図９（Ａ）のＢ−Ｂ断面）で切ったときの配光を示す図である。
図６に示すように、本実施形態に係るＬＥＤモジュール４６は、鉛直断面の水平角を変えたときの、鉛直断面における配光が異なっている。これを踏まえ、ＬＥＤ部１９は、状態Ｊ１と、状態Ｊ２のいずれかの状態で、選択的に、ＬＥＤ載置部４４に固定可能である。
すなわち、状態Ｊ１は、図３に示すようにＬＥＤ部１９をＬＥＤ載置部４４に固定した状態であり、状態Ｊ２とは、状態Ｊ１から、ＬＥＤ載置部４４に対して水平方向（図３の矢印Ｙ２）に９０°だけ回動させた状態で、ＬＥＤ部１９をＬＥＤ載置部４４に固定した状態である。
【００２９】
このように、本実施形態では、ＬＥＤ部載置部４４に対して状態Ｊ１、状態Ｊ２のいずれかの状態でＬＥＤ部１９を固定することができる。つまり、ＬＥＤ載置部４４に対して水平方向に回動自在にＬＥＤ部１９を固定することができる。これにより、鉛直断面の水平角を変えたときの配光が異なるという特性を有するＬＥＤモジュール４６を複数用いて所望の配光を実現する上で、それぞれのＬＥＤモジュール４６の配光が最適となるように、ＬＥＤモジュール４６を状態Ｊ１、状態Ｊ２のいずれかの状態とすることができる。これにより、より確実に所望の配光を実現できる。
なお、ＬＥＤ部１９は、２つのＬＥＤ固定用ネジ４８によって、ＬＥＤ載置部４４に固定されるが、ＬＥＤ載置部４４では、状態Ｊ１におけるＬＥＤ固定用ネジ４８に対応する位置、及び、状態Ｊ２におけるＬＥＤ固定用ネジ４８に対応する位置に雌ネジ部が形成されているため、状態Ｊ１、状態Ｊ２のいずれであってもＬＥＤ部１９をＬＥＤ載置部４４に固定可能である。
【００３０】
平面部４１の裏面４９（図５）には、ヒートシンク５０が設けられている。このヒートシンク５０は、マウント基板４５及び平面部４１を介して伝導されたＬＥＤモジュール４６の熱を効率よく放熱するための部材である。
【００３１】
平面部４１の互いに対向する端部５２からは、図３及び図５に示すように、平面部４１に対して垂直に回動部固定部５３が延出している。この回動部固定部５３は、図５に示すように、平面部４１から所定の長さだけ下方へ向かって延出した平板状の部材である。この回動部固定部５３が上述した支持部３６に支持されることにより、ユニット垂直回動部３１がユニット水平回動部３０に対して固定される。
詳述すると、図３及び図５に示すように、ユニット水平回動部３０の支持部３６の下部には、上下方向に延びる切り欠き部５６が形成されている。この切り欠き部５６は、ユニット水平回動部３０に対しユニット垂直回動部３１を固定するための固定用ネジ５７のネジ部５８（図３及び図４（Ａ）参照）が貫通するための切り欠きである。切り欠き部５６を正面視したときの幅は、固定用ネジ５７のネジ頭部５９を正面視したときの直径よりも小さく形成されており、固定用ネジ５７のネジ部５８は切り欠き部５６を貫通するものの、ネジ頭部５９は切り欠き部５６を貫通しない。一方、回動部固定部５３の略中央には、固定用ネジ５７のネジ部５８が螺合するネジ穴６０（図３参照）が形成されている。
【００３２】
図３及び図５に示すように、ユニット垂直回動部３１の回動部固定部５３のそれぞれは、ユニット水平回動部３０の支持部３６のそれぞれの内側を、支持部３６に沿って平行に延出する。そして、支持部３６の切り欠き部５６と、回動部固定部５３のネジ穴６０とが重ねられた状態で、固定用ネジ５７のネジ部５８が切り欠き部５６を貫通し、回動部固定部５３のネジ穴６０に螺合される。このとき、固定用ネジ５７のネジ頭部５９と回動部固定部５３とによって支持部３６が締め付けられ、その摩擦力によって支持部３６が挟持され、これにより、支持部３６に対し回動部固定部５３が固定される。
このようにして、回動部固定部５３が支持部３６に対して固定されることにより、ユニット垂直回動部３１がユニット水平回動部３０に固定される。
【００３３】
このように、固定用ネジ５７と回動部固定部５３とによって支持部３６を挟持することによってユニット垂直回動部３１がユニット水平回動部３０に固定されるため、ユニット垂直回動部３１は、固定用ネジ５７に対応する中心点Ｃ２を中心に所望の回動角度だけ垂直方向に回動した状態で、ユニット水平回動部３０に固定可能である。さらに、ユニット垂直回動部３１は、ＬＥＤユニット取付板２６の板面に対する垂直方向の位置を変動した上で、ユニット水平回動部３０に固定可能である。
なお、中心点Ｃ２を中心に垂直方向に回動するとは、図５（Ａ）の矢印Ｙ３に示すように、ＬＥＤユニット取付板２６の板面に対して垂直な線に対する角度を変動するように回動する、ということである。
【００３４】
詳述すると、図５（Ａ）に示す状態から、図５（Ｂ）に示す状態へとユニット垂直回動部３１を回動する場合、固定用ネジ５７をゆるめた上で、図５（Ｂ）示す位置にユニット垂直回動部３１を回動し、再び固定用ネジ５７を締める。このように容易な作業により、中心点Ｃ２を中心に所望の回動角度だけ垂直方向に回動した状態でユニット垂直回動部３１を固定できる。
また、切り欠き部５６は垂直方向に延びた状態で切り欠かれているため、切り欠き部５６において固定用ネジ５７を締め付ける位置を変動することにより、この固定用ネジ５７の位置に応じてユニット垂直回動部３１のＬＥＤユニット取付板２６の板面に対する垂直方向の位置を変動することができる。具体的には、図５（Ａ）に示す状態から矢印Ｙ４に示す方向にユニット垂直回動部３１を変動して図５（Ｂ）に示す状態とする場合、固定用ネジ５７をゆるめた上で、ユニット垂直回動部３１の位置を変動し、再び固定用ネジ５７を締める。このような容易な作業により、ユニット垂直回動部３１のＬＥＤユニット取付板２６の板面に対する垂直方向の位置を変動できる。
【００３５】
図５に示すように、回動部固定部５３には、垂直角度目盛り６２が形成されている。なお、図３では垂直角度目盛り６２は省略してある。
この垂直角度目盛り６２は、ユニット垂直回動部３１が垂直方向にどれだけ回動した状態でユニット水平回動部３０に固定されているかを明示するための目盛りである。図５に示すように、垂直角度目盛り６２は、上述したネジ穴６０に対応する中心点Ｃ２を中心とする分度器型の目盛りであり、回動部固定部５３に、直接、記されている。なお、本実施形態では、垂直角度目盛り６２は、白色の回動部固定部５３に黒色で記されており、外部が比較的暗い場合であっても、視認しやすくなっている。
【００３６】
垂直角度目盛り６２には、所定の角度毎に回動角度を示す目盛りが形成されている。本実施形態では、図５（Ａ）を参照し、ＬＥＤ部１９が垂直下方を向くようにユニット垂直回動部３１が固定されている場合において、中心点Ｃ２を端点として垂直下方に向かって延びる半直線Ｋ４に対応する目盛りに角度「０°」が割り振られ、中心点Ｃ２を端点として前方に向かって延びる半直線Ｋ５に対応する目盛りに角度が「−９０°」が割り振られ、中心点Ｃ２を端点として後方に向かって延びる半直線Ｋ６に対応する目盛りに角度「９０°」が割り振られている。
【００３７】
ここで、上述したように、支持部３６の下端には、正面視Ｖ字状に切り欠いて形成された垂直目盛り指示部５５が形成されている。この垂直目盛り指示部５５は、垂直角度目盛り６２を指し示すための部位であり、Ｖ字状に切り欠いて形成された部位の尖端に相当する部分によって垂直角度目盛り６２の目盛りが明示的に指し示される。また、上述したように、ユニット垂直回動部３１は、固定用ネジ５７が設けられた位置、すなわち、中心点Ｃ２を中心に回動する。従って、ユニット垂直回動部３１を垂直方向に回動させた場合、回動に応じて垂直目盛り指示部５５が指し示す垂直角度目盛り６２の目盛りが変動する。そして、本実施形態では、垂直目盛り指示部５５が垂直角度目盛り６２の「０°」に対応する目盛りを指し示している場合（図５（Ａ）に示す状態）、ユニット垂直回動部３１が垂直方向に「０°」だけ回動した状態でユニット水平回動部３０に取り付けられているものと定義される。同様に、垂直目盛り指示部５５が「９０°」に対応する目盛りを指し示している場合、ユニット垂直回動部３１が「９０°」だけ回動した状態で取り付けられているものと定義される。この場合、ＬＥＤ部１９が前方へ向かうように、ユニット垂直回動部３１が固定されている状態となる。また、垂直目盛り指示部５５が「−９０°」に対応する目盛りを指し示している場合、ＬＥＤユニット２７が「−９０°」だけ回動した状態で取り付けられているもの定義される。この場合、ＬＥＤ部１９が後方へ向かうように、ユニット垂直回動部３１が固定されている状態となる。
【００３８】
このような定義の下、作業者は、垂直目盛り指示部５５が、垂直角度目盛り６２のどの角度に対応する目盛りを指し示しているかを参照することにより、ユニット水平回動部３０の垂直方向における回動角度を容易、かつ、確実に認識することができる。さらに、作業者は、ユニット垂直回動部３１の垂直方向の回動角度を所望の回動角度に調整する場合、当該所望の角度に対応する垂直角度目盛り６２の目盛りを垂直目盛り指示部５５が指し示すように、ユニット垂直回動部３１を回動させることにより、容易、かつ、確実に、ユニット垂直回動部３１の垂直方向の回動角度を所望の回動角度に調整できる。
【００３９】
また、図５に示すように、ユニット水平回動部３０の支持部３６において、切り欠き部５６に対応する位置には、垂直位置目盛り６３が形成されている。なお、図３では垂直角度目盛り６２は省略してある。
この垂直位置目盛り６３は、ユニット垂直回動部３１の垂直方向における位置を明示するための目盛りである。図５に示すように、垂直角度目盛り６２は、切り欠き部５６の上端から下端に亘って所定の間隔で目盛りが記された定規型の目盛りであり、支持部３６に、直接、記されている。なお、本実施形態では、垂直位置目盛り６３は、白色の支持部３６に黒色で記されており、外部が比較的暗い場合であっても、視認しやすくなっている。
【００４０】
垂直位置目盛り６３には、所定の間隔で目盛りが形成されている。本実施形態では、切り欠き部５６の上下方向の長さは約１０ｍｍであり、図５（Ａ）を参照し、垂直位置目盛り６３において切り欠き部５６の上端に対応する目盛りに「０ｍｍ」が割り振られると共に、切り欠き部５６の下端に対応する目盛りに「１０ｍｍ」が割り振られている。
【００４１】
ここで、上述したように、ユニット垂直回動部３１は、切り欠き部５６において固定用ネジ５７を締め付ける位置に応じて、垂直方向における位置が変動する。従って、ユニット垂直回動部３１の垂直方向における位置を変動した場合、当該変動に応じて垂直位置目盛り６３において固定用ネジ５７のネジ頭部５９が位置する場所が変動する。これを踏まえ、本実施形態では、固定用ネジ５７のネジ頭部５９が垂直位置目盛り６３の目盛りを指し示す役割を果たしている。そして、ネジ頭部５９が垂直位置目盛り６３の「０ｍｍ」に対応する目盛りを指し示している場合（図５（Ａ）に示す状態）、ユニット垂直回動部３１が垂直下方へ向かって「０ｍｍ」下がった状態でユニット水平回動部３０に取り付けられているものと定義される（以下、この状態を「垂直位置「０ｍｍ」」という）。同様に、ネジ頭部５９が垂直位置目盛り６３の「１０ｍｍ」に対応する目盛りを指し示している場合（図５（Ｂ）に示す状態）、垂直位置「１０ｍｍ」、すなわち、ユニット垂直回動部３１が垂直下方へ向かって「１０ｍｍ」下がった状態でユニット水平回動部３０に取り付けられているものと定義される。
【００４２】
このような定義の下、作業者は、ネジ頭部５９が、垂直位置目盛り６３のどの目盛りを指し示しているかを参照することにより、ユニット水平回動部３０の垂直方向における位置を容易、かつ、確実に認識することができる。さらに、作業者は、ユニット垂直回動部３１の垂直方向の位置を所望の位置に調整する場合、当該所望の位置に対応する垂直位置目盛り６３の目盛りをネジ頭部５９が指し示すように、ユニット垂直回動部３１の位置を変動することにより、容易、かつ、確実に、ユニット垂直回動部３１の垂直方向の位置を調整できる。
【００４３】
なお、図５（Ａ）に示すように、ユニット垂直回動部３１が垂直方向へ「０ｍｍ」下がった状態の場合、すなわち、ユニット垂直回動部３１が最もＬＥＤユニット取付板２６に近接した場合に、ヒートシンク５０がユニット水平回動部３０のユニット側取付板３３に接触しないように支持部３６の長さ、及び、切り欠き部５６の位置が決められている。このため、平面部４１とユニット側取付板３３との間にヒートシンク５０を収納するための空間が形成され、この空間に効率よくヒートシンク５０が収納される。
【００４４】
このように、本実施形態では、ＬＥＤユニット２７のユニット水平回動部３０は水平方向に回動自在であると共に、ＬＥＤユニット２７のユニット垂直回動部３１は垂直方向に回動自在である。このため、ユニット水平回動部３０の水平方向の回動と、ユニット垂直回動部３１の垂直方向の回動とを組み合わせることにより、ユニット垂直回動部３１に設けられたＬＥＤ部１９の向きを、任意の方向へ向かわせることができる。すなわち、ＬＥＤモジュール４６の照射方向を任意の方向へ向かわせることができる。
ここで、照明装置１によってある配光を実現する場合、６つのＬＥＤユニット２７のそれぞれについてＬＥＤモジュール４６の照射方向を調整し、それぞれのＬＥＤモジュール４６から照射される光を組み合わせることによって当該配光を実現する。そして、本実施形態では、ＬＥＤユニット２７のそれぞれについてＬＥＤモジュール４６の照射方向を任意の方向へ向かわせることができるため、照明装置１によって非常に多くの配光を実現することができる。このため、照明装置１の配光を変更することにより、道路灯として機能させたり、防犯灯として機能させたりすることができる。
【００４５】
また、本実施形態では、６つのＬＥＤユニット２７のそれぞれについて、ユニット垂直回動部３１の板面に対する垂直方向の位置を変動可能である。このため、照明装置によってある配光を実現する場合、当該配光を実現するために最適な状態となるように、ＬＥＤユニット２７のそれぞれのユニット垂直回動部３１の垂直方向の位置を調整することができ、より確実に当該配光を実現することができる。
また、透光カバー２３の形状や、光源収納部１５の形状に応じて、ＬＥＤユニット２７のそれぞれのユニット垂直回動部３１の高さを調整することができるため、透光カバー２３の形状や、光源収納部１５の形状に対応して所望の配光をより確実に実現することができる。特に、透光カバー２３による反射を軽減するため、ＬＥＤユニット２７のＬＥＤモジュール４６から照射される光を、透光カバー２３に対して垂直となるように照射方向を調整する場合、透光カバー２３の形状に応じて、ユニット垂直回動部３１の高さを調整することにより、上述した照射方向への調整をより確実に行うことができる。
さらに、ＬＥＤユニット２７の水平方向及び鉛直方向における回動を調整したい際に、ＬＥＤユニット２７の状態によっては、隣接するＬＥＤユニット２７や、照明装置１のその他の部材によって、ＬＥＤユニット２７の配光が遮断される場合がある。しかし、垂直方向の位置を調整により、遮断される光を最小限に抑えることができ、より確実に所望の配光を実現することができる。
【００４６】
次いで、照明装置１によって所望の配光を実現する際の作業について説明する。
図７は、照明装置１を４．５ｍの高さに設けたときの水平面照度分布図の一例である。
図７は、防犯灯としての機能を有する照明装置1の配光に基づくものであり、左右方向へ広範囲に亘って光を照射している。
以下、照明装置１によって図７に示す水平面照度分布図となるような配光（以下、「防犯配光」という）を実現する際の動作について説明する。
【００４７】
防犯配光となるように照明装置１の配光を調整する場合、まず、照明装置１が備えるＬＥＤモジュール４６のそれぞれについて、配光データが準備される。ＬＥＤモジュール４６は、それぞれ、狭角、中角、広角等、異なる配光を実現するものが用意されており、配光データとは、配光を特定するための情報を含むデータのことである。
次いで、準備された配光データが示す情報、照明装置１における各ＬＥＤモジュール４６の位置等の情報に基づいて、配光シミュレーションが行われる。この配光シミュレーションは、所望の配光（本例では、防犯配光）を実現するにあたって、所望の配光を実現するようなＬＥＤ部１９の状態（上述した状態Ｊ１、状態Ｊ２のいずれか）、ユニット垂直回動部３１の垂直位置（例えば、垂直位置「０ｍｍ」）、水平方向に対する回動角度、及び、垂直方向に対する回動角度を確定するために、事前に行われるシミュレーションである。この配光シミュレーションにより、照明装置１のＬＥＤユニットのそれぞれについて、上述した調整内容が確定する。
【００４８】
図８は、配光シミュレーションによって確定したＬＥＤユニット２７のＬＥＤ部１９の状態（図の「ＬＥＤ部状態」に該当）、ユニット垂直回動部３１の垂直位置（図の「垂直位置」に該当）、水平方向に対する回動角度（図の「水平角度」に該当）、及び、垂直方向に対する回動角度（図の「垂直角度」に該当）の一例を示す図である。なお、図８は、図２と対応しており、ＬＥＤユニット２７のそれぞれについて、図８に示す調整を行った場合、照明装置１は、図２に示す状態となる。
配光シミュレーションによってＬＥＤユニット２７のそれぞれの、ＬＥＤ部１９の状態、垂直位置、水平方向に対する回動角度、及び、垂直方向に対する回動角度を確定させた後、図８に示す情報に基づいて、照明装置１の組み立て段階（照明装置１が商品と出荷されるものであれば、出荷前における組み立て段階）において、各ＬＥＤユニット２７が調整される。
【００４９】
当該調整に際し、作業者は、ＬＥＤユニット２７のそれぞれについて、確定した調整内容に基づいて、状態Ｊ１、状態Ｊ２のいずれかの状態でＬＥＤ載置部４４にＬＥＤ部１９を固定させる。さらに、作業者は、確定した調整内容に基づいて、固定用ネジ５７を使ってユニット垂直回動部３１の垂直位置を変動する。上述したように、支持部３６に垂直位置目盛り６３が形成されているため、作業者は、固定用ネジ５７のネジ頭部５９が表に示す垂直位置に対応する目盛りを指し示すように、ユニット垂直回動部３１の垂直位置を変動することにより、容易かつ確実に、所望の垂直位置にユニット垂直回動部３１を変動することができる。
次に、作業者は、確定した調整内容に基づいて、対応する水平角度目盛り４０の目盛りを水平目盛り指示部３７が指し示すように、ユニット側取付板３３を水平方向に回動する。これにより、ＬＥＤユニット２７全体が回動することとなる。上述したように、水平角度目盛り４０を利用して、作業者は、容易かつ確実に、所望の水平角度にＬＥＤユニット２７を回動させることができる。
次に、作業者は、確定した調整内容に基づいて、対応する垂直角度目盛り６２の目盛りを垂直目盛り指示部５５が指し示すように、ユニット垂直回動部３１を垂直方向に回動する。上述したように、垂直角度目盛り６２を利用して、作業者は、容易かつ確実に、所望の垂直角度にＬＥＤユニット２７を回動させることができる。
この調整のための作業によって、１つの照明装置１について、防犯配光となるように容易、かつ、確実に調整することができる。
【００５０】
ここで、防犯灯として機能する照明装置１は、道幅に応じて、具体的な例で言えば、道幅が２ｍであるか３ｍであるか等に応じて、実現すべき配光は異なるが、本実施形態では、配光シミュレーションによって得られた情報に基づいて照明装置１が備えるＬＥＤユニット２７のそれぞれを調整することにより、実現すべき配光を容易かつ確実に実現可能できる。特に、照明装置１を商品として出荷する場合には、当該照明装置１に求められる機能、照明装置１が設置される環境等に応じた配光を実現した状態の照明装置１を出荷できることになり、商品としての魅力の向上を図ることができる。
さらに、照明装置１が実際に支柱１０に取り付けられた後に、周辺に住宅等の建物が建設される等の外部環境の変化により、当該照明装置１の配光を新たな配光に変更する必要が生じた場合であっても、照明装置１自体を取り替えることなく、当該新たな配光を実現できる。すなわち、例えば、照明装置１の周辺に住宅が建設され、この住宅に対しグレアが生じないような新たな配光を実現する必要が生じた場合、配光シミュレーションにより、グレアが生じないような配光を実現する各ＬＥＤユニット２７の調整内容を確定し、現場で、作業員が、確定した調整内容に基づいて、ＬＥＤユニット２７を調整する。これと同様に、例えば、区画整理等により道路幅が変更された場合であっても、配光シミュレーション及び配光シミュレーションの結果に基づく各ＬＥＤユニット２７の調整によって、道幅に対応した所望の配光を実現できる。
以上のように、本実施形態では、配光シミュレーションを基に、フレキシブルに所望の配光を実現でき、かつ、照明装置１の取付後であっても、他の配光に変更することができる。
さらに、ＬＥＤユニット２７のそれぞれについて、垂直位置目盛り６３、水平角度目盛り４０及び垂直角度目盛り６２を利用して、ＬＥＤユニット２７のＬＥＤ部１９の状態、垂直位置、水平方向に対する回動角度、及び、垂直方向に対する回動角度を確実に調整できる。このため、経験や勘に頼らない確実な調整が可能となる。
さらに、垂直位置目盛り６３、水平角度目盛り４０及び垂直角度目盛り６２によって、ＬＥＤユニット２７の現場における微調整が非常に容易となり、かつ、経験に頼らない正確な微調整が可能となる。
【００５１】
図９は、上述した防犯配光以外の配光を実現した照明装置１を示す図であり、（Ａ）は、照明装置本体１１の直下を照明する照明装置１（以下、「直下照明型照明装置１Ａ」という）を示し、（Ｂ）は、水平方向において広範囲を照明する照明装置１（以下、「広範囲照明型照明装置１Ｂ」という）を示す。
図１０は、直下照明型照明装置１Ａの配光に基づく、水平面照度分布図を示している。
図１１は、広範囲照明型照明装置１Ｂの配光に基づく、水平面照度分布図を示している。
図１２（Ａ）は、直下照明型照明装置１Ａの各ＬＥＤユニット２７の調整内容を示す表であり、図１２（Ｂ）は、広範囲照明型照明装置１Ｂの各ＬＥＤユニット２７の調整内容を示す表である。
本実施形態では、上述した方法と同様に、図１０に示す配光となるように配光シミュレーションを行い、図１２（Ａ）に示す配光シミュレーションの結果に基づいて、各ＬＥＤユニット２７を調整することにより（これにより図９（Ａ）に示す状態となる）、照明装置１によって図１０に示す配光を実現することができる。
同様に、本実施形態では、上述した方法と同様に、図１１に示す配光となるように配光シミュレーションを行い、図１２（Ｂ）に示す配光シミュレーションの結果に基づいて、各ＬＥＤユニット２７を調整することにより（これにより図９（Ｂ）に示す状態となる）、照明装置１によって図１１に示す配光を実現することができる。
以上具体例を挙げて説明したように、本実施形態に係る照明装置１は、各ＬＥＤユニット２７を調整することにより、多くの配光を実現可能である。
【００５２】
以上説明したように、本実施形態に係る照明装置１は、照明装置本体１１内に光源ユニット２５を収容し、照明装置本体１１に形成された照射開口２２から照射する。そして、照明装置１は、照射開口２２に対し平行に設けられるＬＥＤユニット取付板２６に、複数のＬＥＤユニット２７とこのＬＥＤユニット２７に取り付けられるＬＥＤモジュール４６を点在配置して光源ユニット２５を構成し、ＬＥＤユニット２７のユニット水平回動部３０をＬＥＤユニット取付板２６に対し回動し、また、ユニット垂直回動部３１をユニット水平回動部に対し回動することにより、ＬＥＤモジュール４６のそれぞれの照射方向を、ＬＥＤユニット取付板２６の板面に対し水平方向及び垂直方向に回動自在に構成している。
これによれば、ＬＥＤユニット２７のユニット水平回動部３０をＬＥＤユニット取付板２６に対し回動し、また、ユニット垂直回動部３１をユニット水平回動部に対し回動することにより、ＬＥＤモジュール４６のそれぞれの照射方向を水平方向及び垂直方向に回動できる。このため、照射方向を適切な方向に向けたＬＥＤモジュール４６の組み合わせにより、多くの配光を実現することができる。
【００５３】
また、本実施形態に係る照明装置１には、ＬＥＤユニット２７のＬＥＤユニット取付板２６の板面に対する水平方向の回動角度を明示する水平角度目盛り４０と、ＬＥＤユニット取付板２６の板面に対する垂直方向の回動角度を明示する垂直角度目盛り６２と、が形成されている。
これによれば、水平角度目盛り４０及び垂直角度目盛り６２を利用して、ＬＥＤモジュール４６の照射方向が所望の方向に向くように、ＬＥＤユニット２７を容易、かつ、確実に回動させることができる。
【００５４】
また、本実施形態に係る照明装置は、ＬＥＤユニット２７のユニット垂直回動部３１のＬＥＤユニット取付板２６に対する垂直方向の位置を変動できる。
これによれば、照明装置本体１１の形状、透光カバー２３の形状や、実現すべき配光に応じて、ユニット垂直回動部３１のＬＥＤモジュール４６の垂直方向の位置を変動することにより、より確実に所望の配光を実現できる。
【００５５】
また、本実施形態に係る照明装置には、ユニット垂直回動部３１のＬＥＤユニット取付板２６の板面に対する垂直方向の位置を明示する垂直位置目盛り６３が形成されている。
これによれば、垂直位置目盛り６３を利用して、ユニット垂直回動部３１及びこのユニット垂直回動部３１取り付けられたＬＥＤモジュール４６を所望の位置に、容易、かつ、確実に移動させることができる。
【００５６】
また、本実施形態に係る照明装置は、ＬＥＤモジュール４６を備えるＬＥＤ部１９を載置するためのＬＥＤ載置部４４を備え、このＬＥＤ載置部４４に載置されたＬＥＤモジュール４６を回動させることができる。
これによれば、ＬＥＤモジュール４６の半値角に対応した状態でＬＥＤ部１９をＬＥＤ載置部４４に載置することができる。
【００５７】
なお、上述した実施の形態は、あくまでも本発明の一態様を示すものであり、本発明の範囲内で任意に変形および応用が可能である。
例えば、上述した実施形態では、光源にＬＥＤを用いていたが、ＬＥＤに限らず、小型のセラミックメタルハライドランプ等を用いるようにしてもよい。すなわち、光源に適用する部材は適切に定めることができ、例えば、反射板と光源とを組み合わせたもので合ってもよい。
また例えば、上述した実施形態に係る照明装置１は、６つのＬＥＤユニット２７を備えていたが、ＬＥＤユニット２７の個数は６つに限らず、また、配置も実施形態における配置に限らない。すなわち、ＬＥＤユニット２７の個数や配置状況は、照明装置本体１１の大きさ、形状、機能等に応じて適切に変動可能である。
【符号の説明】
【００５８】
１  照明装置
１１  照明装置本体
２２  照射開口
２５  光源ユニット（光源）
２６  ＬＥＤユニット取付板（載置板）
４０  水平角度目盛り
４４  ＬＥＤ載置部（発光体モジュール載置部）
４６  ＬＥＤモジュール（発光体モジュール）
６２  垂直角度目盛り
６３  垂直位置目盛り
【図１】
2010282742.tif 000003
【図２】
2010282742.tif 000004
【図３】
2010282742.tif 000005
【図４】
2010282742.tif 000006
【図５】
2010282742.tif 000007
【図６】
2010282742.tif 000008
【図７】
2010282742.tif 000009
【図８】
2010282742.tif 000010
【図９】
2010282742.tif 000011
【図１０】
2010282742.tif 000012
【図１１】
2010282742.tif 000013
【図１２】
2010282742.tif 000014